【手続補正書】
【提出日】平成30年5月9日(2018.5.9)
【手続補正１】
【補正対象書類名】特許請求の範囲
【補正対象項目名】全文
【補正方法】変更
【補正の内容】
【特許請求の範囲】
【請求項１】
少なくとも１種の供給化学品の供給源と；
複数の異なる元素を含み、かつ／または複数の異なる天然由来元素化合物を含む鉱石の供給源と；
前記供給化学品および前記鉱石を受け取るための少なくとも１つの炉であって、前記受け取られた鉱石中の前記複数の異なる元素および／または前記複数の天然由来元素化合物を、前記炉による産出のために前記供給化学品に基づく対応する複数の異なる化学化合物に変換するために熱を提供するように構成された、炉と；
連続で提供される複数の電解採取サブシステムと、
を含む製錬システムであって、
前記炉の前記産出物が、前記複数の電解採取サブシステムに順に供給されるため、前記電解採取サブシステムの各１つが、前記炉によって産出された前記異なる化学化合物の異なるサブセット上で動作して前記化学化合物の各サブセットから前記対応する元素を抽出し、それにより前記製錬システムでの再循環のために前記供給化学品またはその化合物を放出し、
前記抽出された元素の各１種が、前記製錬システムの生成物として前記電解採取サブシステムの各１つにより回収および産出される、製錬システム。
【請求項２】
供給化学品の供給源と；
複数の異なる元素を含み、かつ／または複数の異なる天然由来元素化合物を含む鉱石の供給源と；
前記供給化学品および前記鉱石を受け取るための少なくとも１つの炉であって、前記受け取られた鉱石中の前記複数の異なる元素および／または前記複数の天然由来元素化合物を、前記炉による産出のために前記供給化学品に基づく対応する複数の異なる化学化合物に変換するために熱を提供するように構成された、炉と；
連続で提供される複数の電解採取サブシステムと、
を含む製錬システムであって、
前記炉の前記産出物が、前記複数の電解採取サブシステムに順に供給されるため、前記電解採取サブシステムの各１つが、前記炉によって産出された前記異なる化学化合物の異なる１つで動作して前記各化学化合物から前記対応する元素を抽出し、それにより前記製錬システムでの再循環のために前記供給化学品またはその化合物を放出し、
前記抽出された元素の各１種が、前記製錬システムの生成物として前記電解採取サブシステムの各１つにより回収および産出される、製錬システム。
【請求項３】
前記少なくとも１つの炉が、前記様々な元素の塩化物塩である前記複数の異なる化学化合物を前記電解採取サブシステムに産出するために、複数の元素を含む前記鉱石と、塩素を含む前記供給化学品と、を受け取るように構成された炉である、請求項１または２に記載の製錬システム。
【請求項４】
前記少なくとも１つの炉が、複数の異なる元素を産出するために前記酸化物から前記酸素の大部分を取り除くために、前記複数の元素酸化物を含み、水素を含む前記少なくとも１種の供給化学品のうちの１種を受け取る、前記鉱石を受け取るように構成された第一の炉を含み、前記少なくとも１つの炉がまた、前記様々な元素の塩化物塩である前記複数の異なる化学化合物を前記電解採取サブシステムに産出するために、前記複数の異なる元素を受け取り、塩素を含む前記少なくとも１種の供給化学品の１種を受け取る、第二の炉を含む、請求項１または２に記載の製錬システム。
【請求項５】
水素を含む前記供給化学品が、水を包含する、請求項４に記載の製錬システム。
【請求項６】
前記鉱石が、液化された供給原料として前記第一の炉に提供される、請求項４または５に記載の製錬システム。
【請求項７】
塩素を含む前記供給化学品が、前記電解採取サブシステムから前記塩素を再循環させる塩素化サブシステムにより提供される、請求項３〜６のいずれか１項に記載の製錬システム。
【請求項８】
前記塩素化サブシステムが、クロルアルカリ（ｃｈｌｏｒａｌｋｙｌｉ）塩化物発生装置を含む、請求項７に記載の製錬システム。
【請求項９】
前記塩素化サブシステムが、水凝縮部を含む、請求項８に記載の製錬システム。
【請求項１０】
塩素を含む供給化学品の供給源と；
鉱石から得られる複数の異なる入り混じった元素と；
前記供給化学品および前記鉱石から得られる前記複数の入り混じった元素を受け取るための少なくとも１つの炉であって、前記炉による産出のために前記供給化学品を用いて前記複数の異なる元素を対応する複数の異なる塩素元素の塩に変換するために熱を提供するように構成された、炉と；
前記炉の産出物を順に受け取るために連続で提供される複数の電解採取サブシステムと；
前記供給化学品での再使用のために前記塩素を前記電解採取サブシステムから再循環するように構成された、クロルアルカリ塩化物発生装置を含む塩素化サブシステムと；
塩酸を用いて前記電解採取サブシステムのｐＨを調整するためのフラッシュ蒸留サブシステムと；
捕捉および再循環のために前記少なくとも１つの炉により産出された揮発された金属塩化物および塩素の少なくとも一部を冷却および凝縮するように構成された散水サブシステムと；
電気に変換するために前記製錬システムにより産出される廃棄エネルギーを捕捉するための遷臨界または超臨界ＣＯ２ランキンサイクルを用いて動作するように構成された少なくとも１つのエネルギー捕捉サブシステムと、
を含む製錬システムであって、
前記炉の前記産出物が、前記複数の電解採取サブシステムに順に供給されるため、前記電解採取サブシステムの各１つが、前記炉によって産出された元素の塩の異なる１つで動作して前記各元素の塩から前記対応する元素を抽出し、それにより前記製錬システムでの再循環のために前記供給化学品またはその化合物を放出し、
前記抽出された元素の各１種が、前記製錬システムにより回収および産出され、
前記電解採取サブシステムの少なくとも幾つかが、熱を利用した無水自然発火性塩化物の変換工程により前記各元素（複数可）を抽出するように構成され、
前記電解採取サブシステムの少なくとも幾つかが、溶融塩工程を利用して前記各元素（複数可）を抽出するように構成されている、製錬システム。
【請求項１１】
元素を鉱石から抽出する方法であって、
複数の入り混じった元素および／または元素酸化物を含む鉱石を粉砕するステップと；
存在するならば、水素および熱を利用して前記元素酸化物から酸素を取り除くことにより、前記鉱物中の前記元素酸化物の少なくとも一部を前記基礎となる元素に変換するステップと；
塩素を含む供給源の化学品と共に前記元素を加熱して、前記元素を元素塩化物塩に変換するステップと；
前記塩素を取り出して、互いから複数の前記元素の各１種を分離する手法で、前記分離された元素を回収可能な量で回収するために、前記元素塩化物塩を電解採取するステップと；
この方法で再使用するために前記供給源の化学品を回収するステップと；
産出のために前記回収量の元素を取り出すステップと、
を含む、方法。
【請求項１２】
元素を鉱石から抽出する方法であって、
複数の入り混じった元素、合金および／または元素化合物を含む鉱石を粉砕するステップと；
存在するならば、熱を利用して前記鉱物中の前記元素化合物の少なくとも幾つかを前記基礎となる元素に変換するステップと；
供給源の化学品と共に前記元素を加熱して、前記元素の少なくとも幾つかを元素化合物に変換するステップと；
電解採取サブシステムへの装入のために、前記加熱された元素および／または元素化合物を産出するステップと；
前記供給源の化学品を取り出して、互いから複数の前記元素の各１種を分離する手法で、前記分離された元素を回収可能な量で回収するために、前記電解採取サブシステムを用いて前記元素および／または元素化合物を電解採取するステップと；
この方法で再使用するために前記供給源の化学品を回収するステップと；
産出のために前記回収量の元素を取り出すステップと、
を含む、方法。
【請求項１３】
前記電解採取が、熱を利用した無水自然発火性塩化物の変換工程を利用する、請求項１１または１２に記載の方法。
【請求項１４】
前記電解採取が、溶融塩工程を利用する、請求項１１〜１３のいずれか１項に記載の方法。
【請求項１５】
前記電解採取が、電気分解を利用した水性塩化物変換工程を利用する、請求項１１〜１４のいずれかに記載の方法。
【請求項１６】
前記複数の元素が、Ａｇ、白金族金属のうちの１種または複数、Ａｕ、Ａｌ、Ｆｅ、Ｃｏ、およびＳｉを包含する、請求項１１〜１５のいずれか１項に記載の方法。
【請求項１７】
前記複数の元素が、Ｚｎ、Ｃｒ、Ｆｅ、Ｖ、Ｃｄ、Ｎｉ、Ｃｏ、Ｍｎ、Ｓｎ、Ｐｂ、Ｃｕ、Ａｇ、白金族金属、Ａｕ、Ａｌ、Ｔｉ、Ｍｇ、Ｎａ、Ｋ、Ｎａ、Ｃａ、Ｌｉ、ランタニド元素、およびアクチニド元素の列挙から選ばれる複数の元素を包含する、請求項１１〜１６のいずれか１項に記載の方法。
【請求項１８】
１時間あたり数トン、数十トン、数百トン、またはそれを超える量で鉱石を加工するように構成されている、請求項１〜１７のいずれか１項に記載の方法またはシステム。